(57)【要約】【課題】持ち運びの煩わしさが無く、携帯電話に一体化でき、両手で操作できる携帯電話用キーボードを提供する。【解決手段】一面に主として右手により操作される右キーボード２０を配列し、携帯電話２２の一方の面を覆う外形を有する右半部１２と、一面に主として左手により操作される左キーボード２４を配列し、携帯電話２２の他方の面を覆う外形を有する左半部１４と、携帯電話２２の側面に配置され、右半部１２に一端２６を接続し、左半部１４に他端２８を接続した屈曲性帯状部３０を有する連結部１６と、右キーボード２０と左キーボード２４の操作信号を携帯電話２２に転送する機能を有する接続器１８とを備える。【選択図】図１
2008022191.tif 000002
【特許請求の範囲】
【請求項１】
一面に右キーボードを配列し、携帯電話の一方の面を覆う外形を有する右半部と、
一面に左キーボードを配列し、前記携帯電話の他方の面を覆う外形を有する左半部と、
前記携帯電話の側面に配置され、前記右半部に一端を接続し、前記左半部に他端を接続した屈曲性帯状部を有する連結部と、
前記右キーボードと前記左キーボードの操作信号を前記携帯電話に転送する機能を有する接続器とを備えたことを特徴とする携帯電話用キーボード。
【請求項２】
請求項１に記載の携帯電話用キーボードにおいて、
前記右半部の、携帯電話の一方の面と接する部分には、当該一方の面に吸着する吸着構造部が設けられ、前記左半部の、携帯電話の他方の面と接する部分には、当該他方の面に吸着する吸着構造部が設けられていることを特徴とする携帯電話用キーボード。
【請求項３】
請求項１に記載の携帯電話用キーボードにおいて、
前記右半部の周縁部と前記左半部の周縁部とは、相互に縫合部材により連結されていることを特徴とする携帯電話用キーボード。
【請求項４】
請求項１乃至３のいずれかに記載の携帯電話用キーボードにおいて、
前記連結部は、連結した右半部と左半部との間隔を伸縮できる伸縮構造部を有することを特徴とする携帯電話用キーボード。
【請求項５】
請求項１乃至４のいずれかに記載の携帯電話用キーボードにおいて、
前記右半部の、携帯電話の一方の面と接する部分に、前記右キーボードが配列され、前記左半部の、携帯電話の他方の面と接する部分に、前記左キーボードが配列されていることを特徴とする携帯電話用キーボード。
【請求項６】
請求項５に記載の携帯電話用キーボードにおいて、
前記右半部の前記右キーボードが配列された面の裏面と、前記左半部の前記左キーボードが配列された面の裏面に、装飾シートが積層されていることを特徴とする携帯電話用キーボード。
【請求項７】
請求項１乃至５のいずれかに記載の携帯電話用キーボードにおいて、
前記接続器は、前記右キーボードと前記左キーボードの操作信号を前記携帯電話に転送する接続用ケーブルとコネクタとからなり、前記コネクタを携帯電話に接続したとき、携帯電話を自動的に文字入力モードに切り換えるモード選択信号を送出する機能を有することを特徴とする携帯電話用キーボード。
【請求項８】
請求項１乃至５のいずれかに記載の携帯電話用キーボードにおいて、
前記接続器は、携帯電話と無線通信をして、前記右キーボードと前記左キーボードの操作信号を前記携帯電話に転送する無線通信機であって、前記携帯電話の電源出力端子に接続して、前記接続器を充電する接続端子を備えたことを特徴とする携帯電話用キーボード。
【発明の詳細な説明】
【技術分野】
【０００１】
本発明は、携帯電話に接続をして文字を入力するために使用される携帯電話用キーボードに関する。
【背景技術】
【０００２】
携帯電話のキーボードは小さいので、指一本で文字を入力することができるように工夫されている。一方、携帯電話に大サイズのキーボードを接続する技術も紹介されている（特許文献１参照）。
【特許文献１】特開２００５−２０２８３７号公報
【発明の開示】
【発明が解決しようとする課題】
【０００３】
既知の従来の技術には、次のような解決すべき課題があった。即ち、携帯電話に文字を入力するのに両手で操作するキーボードを接続すると操作性が格段に上がる。しかしながら、携帯電話とは別に、比較的サイズの大きなキーボードを常に持ち運ぶのは煩わしい。この課題を解決するために、本発明は、持ち運びの煩わしさが無く、携帯電話に一体化できて両手で操作できる携帯電話用キーボードを提供する。
【課題を解決するための手段】
【０００４】
以下の構成は上記の課題を解決するための手段である。
〈構成１〉  一面に右キーボードを配列し、携帯電話の一方の面を覆う外形を有する右半部と、一面に左キーボードを配列し、上記携帯電話の他方の面を覆う外形を有する左半部と、上記携帯電話の側面に配置され、上記右半部に一端を接続し、上記左半部に他端を接続した屈曲性帯状部を有する連結部と、上記右キーボードと上記左キーボードの操作信号を上記携帯電話に転送する機能を有する接続器とを備えたことを特徴とする携帯電話用キーボード。
【０００５】
右半部と左半部と連結部が携帯電話を覆うので、落下の際などに携帯電話の保護カバーとして機能する。また、携帯電話から取り外せば、両手を用いて文字データ等を入力できるキーボードとして機能する。携帯電話と一体化されるので、文字入力用のキーボードを別途持ち運ぶ必要が無い。
【０００６】
〈構成２〉  構成１に記載の携帯電話用キーボードにおいて、上記右半部の、携帯電話の一方の面と接する部分には、当該一方の面に吸着する吸着構造部が設けられ、上記左半部の、携帯電話の他方の面と接する部分には、当該他方の面に吸着する吸着構造部が設けられていることを特徴とする携帯電話用キーボード。
【０００７】
この吸着構造部により、右半部は携帯電話の一方の面に密着し、左半部は携帯電話の他方の面に密着する。
【０００８】
〈構成３〉  構成１に記載の携帯電話用キーボードにおいて、上記右半部の周縁部と上記左半部の周縁部とは、相互に縫合部材により連結されていることを特徴とする携帯電話用キーボード。
【０００９】
右半部の周縁部と左半部の周縁部とを相互に縫合部材により連結すると、携帯電話用キーボードが携帯電話全体を包む袋構造となり、防水等の保護機能が高まる。
【００１０】
〈構成４〉  構成１乃至３のいずれかに記載の携帯電話用キーボードにおいて、上記連結部は、連結した右半部と左半部との間隔を伸縮できる伸縮構造部を有することを特徴とする携帯電話用キーボード。
【００１１】
連結部が屈曲できるだけでなく伸長できると、右キーボードと左キーボードの間隔を左右の手が衝突しない距離に選定でき、操作性が向上する。
【００１２】
〈構成５〉  構成１乃至４のいずれかに記載の携帯電話用キーボードにおいて、上記右半部の、携帯電話の一方の面と接する部分に、上記右キーボードが配列され、上記左半部の、携帯電話の他方の面と接する部分に、上記左キーボードが配列されていることを特徴とする携帯電話用キーボード。
【００１３】
携帯電話の面と接する部分に各キーボードが配列されていると、両キーボードも外傷から保護される。
【００１４】
〈構成６〉  構成５に記載の携帯電話用キーボードにおいて、上記右半部の上記右キーボードが配列された面の裏面と、上記左半部の上記左キーボードが配列された面の裏面に、装飾シートが積層されていることを特徴とする携帯電話用キーボード。
【００１５】
クッション性があると、携帯電話の保護とキーボードの操作性の向上に効果がある。
【００１６】
〈構成７〉  構成１乃至５のいずれかに記載の携帯電話用キーボードにおいて、上記接続器は、上記右キーボードと上記左キーボードの操作信号を上記携帯電話に転送する接続用ケーブルとコネクタとからなり、上記コネクタを携帯電話に接続したとき、携帯電話を自動的に文字入力モードに切り換えるモード選択信号を送出する機能を有することを特徴とする携帯電話用キーボード。
【００１７】
携帯電話にキーボードを接続したとき自動的に文字入力モードになるので、すぐにメール作成等の作業ができ、操作性が向上する。
【００１８】
〈構成８〉  構成１乃至５のいずれかに記載の携帯電話用キーボードにおいて、上記接続器は、携帯電話と無線通信をして、上記右キーボードと上記左キーボードの操作信号を上記携帯電話に転送する無線通信機であって、上記携帯電話の電源出力端子に接続して、上記接続器を充電する接続端子を備えたことを特徴とする携帯電話用キーボード。
【００１９】
携帯電話用キーボードを電力で駆動できるコードレス方式にして、操作性を著しく向上させることができる。
【発明を実施するための最良の形態】
【００２０】
以下、本発明の実施の形態を実施例ごとに詳細に説明する。
【実施例１】
【００２１】
図１は実施例１の携帯電話用キーボードの使用方法を示す斜視図である。
図１（ａ）は、携帯電話２２に携帯電話用キーボード１０を装着する直前の状態を示している。図のように、携帯電話用キーボード１０は、右半部１２と左半部１４と連結部１６と接続器１８とを備えている。右半部１２は、一面に主として右手により操作される右キーボード２０を配列し、携帯電話２２の一方の面を覆う外形を有するものである。左半部１４は、一面に主として左手により操作される左キーボード２４を配列し、携帯電話２２の他方の面を覆う外形を有するものである。連結部１６は、携帯電話２２の後端側面に配置され、携帯電話用キーボードの右半部１２と左半部１４を分離しないように接続する機能を持つ。
【００２２】
パーソナルコンピュータ等のキーボードは、主として右手により操作される部分と、主として左手により操作される部分とがある。この携帯電話用キーボード１０は右半部１２と左半部１４の二分割構造になっている。右半部１２の一面に、主として右手により操作される右キーボード２０を配列し、左半部１４の一面に、主として左手により操作される左キーボード２４を配置した。右半部１２の一面とは、右半部１２の表面あるいは裏面のいずれか一方のことである。同じく、左半部１４の一面とは、右半部１２の表面あるいは裏面のいずれか一方のことである。キーボードを配置した一面の裏側の面がそれぞれ携帯電話２２に密着する。携帯電話２２を持ち運ぶときは、図２（ｂ）に示すように、携帯電話２２の全面を保護する。右半部１２と左半部１４と連結部１６が携帯電話２２を覆うので、落下の際などに携帯電話２２の保護カバーとして機能する。
【００２３】
図２は携帯電話に携帯電話用キーボードを接続する直前の状態を示す斜視図である。
図の接続器１８は、図１では連結部１６の裏側に密着していて隠れて見えなかった。この接続器１８は、図２に示すように、例えば、先端にコネクタ３４を取り付けた接続用ケーブル３２からなる。コネクタ３４を携帯電話２２に接続することにより、右キーボード２０と左キーボード２４の操作信号を携帯電話２２に転送する機能を有する。なお、携帯電話用キーボード１０と携帯電話２２とを無線で接続しても構わない。このときは、無線通信機能を持つ接続器１８が連結部１６の内部に埋め込まれる。
【００２４】
図３は携帯電話用キーボードを開いた状態での連結部近傍の側面図である。
連結部１６は、携帯電話用キーボード１０の右半部１２に一端２６を接続し、左半部１４に他端２８を接続した屈曲性帯状部３０を有するものである。屈曲性帯状部３０は、蝶番のような、右半部１２と左半部１４とを折り畳む機能を持つ。屈曲性帯状部３０は既知の蝶番構造であってもよいし、屈曲の容易な柔軟な板状物であってもよい。実施例では、プラスチックにより、右半部１２と左半部１４と連結部１６を一体成型した。
【００２５】
図４は、携帯電話用キーボードを開いた状態での連結部の平面図である。
この実施例では、携帯電話用キーボード１０と携帯電話２２とを、専用のコネクタ３４と接続用ケーブル３２で電気接続している。なお、接続器１８は、接続用ケーブル３２を用いないでコネクタ３４のみであってもよい。連結部１６には、右キーボード２０と左キーボード２４との間を接続する信号線３６が埋め込まれる。この信号線とともに無線通信機を接続するとコードレスになる。右キーボード２０と左キーボード２４にそれぞれ独立に無線通信機を設けると、信号線３６も不要になる。
【００２６】
図５は、携帯電話用キーボードの使用状態を示す斜視図である。
この携帯電話用キーボード１０は、図のように、両手を用いて文字データ等を入力できるキーボードとして機能する。携帯電話用キーボード１０の接続用ケーブル３２を伸ばしてコネクタ３４を携帯電話２２に接続する。これにより携帯電話２２のディスプレイを見ながら両手でメール文などの入力作業ができる。図１に示したようにして携帯電話２２と一体化されるので、文字入力用のキーボードを別途持ち運ぶ必要が無い。
【実施例２】
【００２７】
図６は実施例２の携帯電話用キーボードを示す側面図である。
右半部１２の、携帯電話２２の一方の面と接する部分には、吸着構造部３８が設けられている。左半部１４の、携帯電話２２の他方の面と接する部分にも、吸着構造部３８が設けられている。吸着構造部３８は、例えば、合成ゴムの吸盤等により構成することができる。また、あるいは、マグネット等により構成することもできる。この吸着構造部３８により、右半部１２は携帯電話２２の一方の面に密着し、左半部１４は携帯電話２２の他方の面に密着する。従って、携帯電話用キーボードを携帯電話に簡単に確実に装着できる。
【実施例３】
【００２８】
図７は実施例３の携帯電話用キーボードの一部を示す説明図である。
携帯電話用キーボード１０の、右半部１２の周縁部と左半部１４の周縁部とは、相互に縫合部材４０により連結されている。縫合部材４０には、洋服等で多用されているファスナーが利用できる。また、ポリ袋等の密封に多用されている凹凸溝の噛み合わせによるものも利用できる。さらに、多数の微細なプラスチックの突起を噛み合わせて接続する面ファスナー等も利用できる。右半部１２の周縁部と左半部１４の周縁部とを相互に縫合部材４０により連結すると、携帯電話用キーボード１０が携帯電話２２全体を包む袋構造となり、保護機能が高まる。
【００２９】
この実施例では、よく知られたファスナーからなる縫合部材４０と装飾シート４１を用いて、左半部１４や右半部１２を包囲している。左半部１４と右半部１２は、いずれも装飾シート４１の内側に接着などの方法により一体に固定されている。装飾シート４１は、例えば、装飾を施した織布などにより構成される。また、左キーボード２４や右キーボード２０は、携帯電話２２に接する側の面に設けられている。即ち、右半部１２の、携帯電話２２の一方の面と接する部分に、右キーボード２０が配列されている。また、左半部１４の、携帯電話２２の他方の面と接する部分に、左キーボード２４が配列されている。
【００３０】
携帯電話２２と接する面に各キーボードが配列されていると、右半部１２と左半部１４を携帯電話２２を覆うように密着させたとき、両キーボードが隠れる。従って、両キーボードも外傷から保護される。また、上記のように、右半部１２の右キーボード２０が配列された面の裏面と、左半部１４の左キーボード２４が配列された面の裏面に、装飾シート４１を積層することができる。右半部１２と左半部１４のキーボードの裏面は、携帯電話２２全面を覆って、外側に見える面だから、装飾シートを積層して、商品価値を高められる。装飾シートはプラスチック製でも布製でもよい。縫合部材４０を開放して開くと、図５を用いて説明した通りの状態になる。このとき装飾シート４１は、キーボードの下側になり、クッションの役割を果たす。従って、装飾シートは携帯電話２２の保護とキーボードの操作性の向上に効果がある。
【実施例４】
【００３１】
図８は実施例４の携帯電話用キーボードの連結部を示す側面図である。
連結部１６は、連結した右半部１２と左半部１４との間隔を伸縮できる伸縮構造部４２を有する。伸縮構造部４２は、例えば、蛇腹や網目により構成することができる。連結部１６が屈曲できるだけでなく伸長できると、右キーボード２０と左キーボード２４の間隔を左右の手が衝突しない距離に選定でき、操作性が向上する。図５に示した状態では、右手と左手が接近しすぎることもある。伸縮構造部４２は、充分に伸縮性がある。従って、右半部１２と左半部１４の距離を任意に調整することができる。
【実施例５】
【００３２】
図９は携帯電話用キーボードのモードの選択動作を示す説明図である。
図２や図４を用いて説明したように、携帯電話用キーボードの接続器１８は、右キーボード２０と左キーボード２４の操作信号を携帯電話２２に転送する。この接続器１８は、接続用ケーブル３２とコネクタ３４とからなる。この実施例では、コネクタ３４を携帯電話２２に接続したときに、携帯電話２２を自動的に文字入力モードに切り換えるモード選択信号を送出する。
【００３３】
例えば、コネクタ３４を携帯電話２２のコネクタ４６に接続したときに、携帯電話２２側の端子４４のレベル変化をトリガにして、携帯電話２２のモードを自動的に切り換える。即ち、図９（ａ）に示すように、携帯電話用キーボードのコネクタ３４に接続された接続用ケーブル３２の信号ピン４８を接地ピン４７に接続しておく。この信号ピン４８は、キー操作信号の転送には使用されていない空きピンである。一方、携帯電話２２側の端子４４はＴＴＬハイレベルの状態にしておく。また、端子４４は検出器４９の入力側に接続しておく。
【００３４】
検出器４９は、端子４４がハイレベルからロウレベルに切り替わったときに、モード選択コマンド５０を出力する回路である。従って、コネクタ３４を携帯電話２２のコネクタ４６に接続したときに、端子４４がハイレベルからロウレベルに切り替わり、モード選択コマンド５０が出力される。こうして携帯電話の内部で、自動的にモードの切り換え動作が実行される。なお、図９（ｂ）に示すように、これまで待ち受け画面６１を表示していた携帯電話は、この動作に伴って文書入力画面６２を表示する状態に切り替わる。
【００３５】
例えば、メールしか使用しないようなユーザは、この入力画面がメール用文書入力画面になる。また、携帯電話を用いてメモを作成するユーザの場合には、メモ入力用の画面になるよう設定するとよい。以上の実施例で、コネクタ３４の信号ピン４８の出力信号がモード選択信号である。モード選択信号は、携帯電話２２のモードを直接切り換えるコマンドでもよいし、携帯電話２２の内部でモードを直接切り換えるコマンドを発生させるようなトリガ信号であってもよい。携帯電話用キーボード１０を接続したとき自動的に文字入力モードになるので、すぐにメール作成等の作業ができ、操作性が向上する。
【実施例６】
【００３６】
図１０は実施例６の携帯電話用キーボードの主要部側面図である。
この実施例では、右キーボード２０と左キーボード２４の操作信号を、内蔵する無線通信機６５で、携帯電話２２に転送する。この無線通信機６５が、携帯電話用キーボードと携帯電話とを接続する接続器である。無線通信機６５の駆動には電力を必要とする。無線通信機６５を駆動するための電池も内蔵するが、これを、携帯電話２２で充電する。即ち、携帯電話２２の電源出力端子に接続した接続端子６６を通じて、無線通信機が充電される。キーボードの使用時には、接続端子６６を携帯電話２２から切り離す。これにより、コードレスのキーボード操作が可能になる。
【図面の簡単な説明】
【００３７】
【図１】実施例１の携帯電話用キーボードの使用方法を示す斜視図。
【図２】携帯電話に接続する直前の状態を示す斜視図。
【図３】携帯電話用キーボードを開いた状態での連結部近傍の側面図。
【図４】携帯電話用キーボードを開いた状態での連結部の平面図。
【図５】携帯電話用キーボードの使用状態を示す斜視図。
【図６】実施例２の携帯電話用キーボードを示す側面図。
【図７】実施例３の携帯電話用キーボードの一部を示す説明図。
【図８】実施例４の携帯電話用キーボードの連結部を示す側面図。
【図９】携帯電話用キーボードのモードの選択動作を示す説明図。
【図１０】実施例６の携帯電話用キーボードの主要部側面図。
【符号の説明】
【００３８】
１０  携帯電話用キーボード、１２  右半部、１４  左半部、１６  連結部、１８  接続器、２０  右キーボード、２２  携帯電話、２４  左キーボード、２６  一端、２８  他端、３０  屈曲性帯状部
【図１】
2008022191.tif 000003
【図２】
2008022191.tif 000004
【図３】
2008022191.tif 000005
【図４】
2008022191.tif 000006
【図５】
2008022191.tif 000007
【図６】
2008022191.tif 000008
【図７】
2008022191.tif 000009
【図８】
2008022191.tif 000010
【図９】
2008022191.tif 000011
【図１０】
2008022191.tif 000012